(57)【要約】【課題】従来の加湿装置における前記の問題を解決し、長期間に亘って用紙に対して均一な水の付与を行うことができる用紙加湿装置を提供することを目的とする。【解決手段】互いに圧接してニップ部を形成し、該ニップ部を通過する用紙に水を付与する一対の加湿ローラ１２３と、加湿ローラ１２３に圧接して水を供給する給水ローラ１２４と、給水ローラ１２４に供給する水を蓄える貯水部１２１と、一対の加湿ローラ１２３と、加湿ローラ１２３と給水ローラ１２４と、の圧接を解除させる圧接解除手段と、を有することを特徴とする用紙加湿装置とする。【選択図】図４
2009220895.tif 000002
【特許請求の範囲】
【請求項１】
互いに圧接してニップ部を形成し、該ニップ部を通過する用紙に水を付与する一対の加湿ローラと、
前記加湿ローラに圧接し、前記加湿ローラに水を供給する給水ローラと、
前記給水ローラに供給する水を蓄える貯水部と、
前記一対の加湿ローラの圧接解除及び、前記加湿ローラと前記給水ローラの圧接解除を行う圧接解除手段と、
を有することを特徴とする用紙加湿装置。
【請求項２】
前記加湿ローラを回転させる駆動モータの作動中に、前記圧接解除手段によるローラ間の圧接解除を止めて該ローラ間を圧接させるように制御することを特徴とする請求項１に記載の用紙加湿装置。
【請求項３】
前記給水ローラは、前記一対の加湿ローラそれぞれに圧接するように二つ設けられており、
前記一対の加湿ローラ及び二つの前記給水ローラは、前記ニップ部を中心として水平方向に左右対称に配置させていることを特徴とする請求項１又は２に記載の用紙加湿装置。
【請求項４】
用紙に画像形成する画像形成装置と、
前記画像形成装置で画像形成した用紙に水を付与する請求項１乃至３のいずれかに記載の用紙加湿装置と、
を有することを特徴とする画像形成システム。
【請求項５】
制御手段を有し、
該制御手段は、搬送される複数枚の用紙に連続して画像形成する連続画像形成サイクルにおいて、先頭用紙が前記一対の加湿ローラに到達するまで前記一対の加湿ローラの圧接を解除するように前記圧接解除手段を制御することを特徴とする請求項４に記載の画像形成システム。
【請求項６】
前記制御手段は、前記連続画像形成サイクルにおいて、搬送される用紙と用紙の間では前記一対の加湿ローラの圧接を解除するように前記圧接解除手段を制御することを特徴とする請求項５に記載の画像形成システム。
【発明の詳細な説明】
【技術分野】
【０００１】
本発明は用紙に水を付与する用紙加湿装置、及び用紙加湿装置を備えた画像形成システムに関する。
【背景技術】
【０００２】
電子写真方式の画像形成装置、即ち、複写機、プリンタ、ファクシミリ及びこれらの機能を有する複合機においては、加熱定着工程において、加熱時に用紙から水分が奪われる結果、用紙がカールしたり波打ち状に変形したりすることが問題となる。この問題を解決する手段として、定着処理後の用紙に水を付与することが提案されている。
【０００３】
特許文献１は、用紙を搬送してニップ部を形成する一対の多孔質ローラ及び該多孔質ローラに接触して水を供給する水供給ローラを有する用紙水付与装置が開示されている。
【０００４】
用紙に付与される水は水供給ローラから多孔質ローラへと供給される。また、水供給ローラへの水の供給は、特許文献１では、水供給容器から行われ、水供給容器に浸された水供給ローラを回転させることにより、水供給ローラから多孔質ローラの周面に水が塗布される。
【特許文献１】特開２００７−５８０２６号公報
【発明の開示】
【発明が解決しようとする課題】
【０００５】
用紙に水を付与する過程では用紙に付着している紙粉等の異物は、用紙から加湿ローラへ、そして加湿ローラから給水ローラへ、更に当該給水ローラから水供給容器へと転移して混入することになり用紙水付与装置に広がってしまう。
【０００６】
そして前記水供給容器に混入した異物は給水ローラ及び加湿ローラに再付着することになり、当該多孔質ローラ及び給水ローラ上の異物により、用紙への水付与が用紙全面に渡って均一に行えなくなるという問題がある。
【０００７】
本願発明は、従来の加湿装置における前記の問題を解決し、長期間に亘って用紙に対して均一な水の付与を行うことができる用紙加湿装置及び用紙加湿装置を備えた画像形成システムを提供することを目的とする。
【課題を解決するための手段】
【０００８】
（１）互いに圧接してニップ部を形成し、該ニップ部を通過する用紙に水を付与する一対の加湿ローラと、
前記加湿ローラに圧接し、前記加湿ローラに水を供給する給水ローラと、
前記給水ローラに供給する水を蓄える貯水部と、
前記一対の加湿ローラの圧接解除及び、前記加湿ローラと前記給水ローラの圧接解除を行う圧接解除手段と、
を有することを特徴とする用紙加湿装置。
【０００９】
（２）前記加湿ローラを回転させる駆動モータの作動中に、前記圧接解除手段によるローラ間の圧接解除を止めて該ローラ間を圧接させるように制御することを特徴とする（１）に記載の用紙加湿装置。
【００１０】
（３）前記給水ローラは、前記一対の加湿ローラそれぞれに圧接するように二つ設けられており、
前記一対の加湿ローラ及び二つの前記給水ローラは、前記ニップ部を中心として水平方向に左右対称に配置させていることを特徴とする（１）又は（２）に記載の用紙加湿装置。
【００１１】
（４）用紙に画像形成する画像形成装置と、
前記画像形成装置で画像形成した用紙に水を付与する（１）乃至（３）のいずれかに記載の用紙加湿装置と、
を有することを特徴とする画像形成システム。
【００１２】
（５）制御手段を有し、
該制御手段は、搬送される複数枚の用紙に連続して画像形成する連続画像形成サイクルにおいて、先頭用紙が前記一対の加湿ローラに到達するまで前記一対の加湿ローラの圧接を解除するように前記圧接解除手段を制御することを特徴とする（４）に記載の画像形成システム。
【００１３】
（６）前記制御手段は、前記連続画像形成サイクルにおいて、搬送される用紙と用紙の間では前記一対の加湿ローラの圧接を解除するように前記圧接解除手段を制御することを特徴とする（５）に記載の画像形成システム。
【発明の効果】
【００１４】
本願発明によれば、長期間に亘って用紙に対して均一な水の付与を行うことができる用紙加湿装置及び用紙加湿装置を備えた画像形成システムを提供することが可能となる。
【発明を実施するための最良の形態】
【００１５】
本発明を実施の形態に基づいて説明するが、本発明は該実施の形態に限られない。
【００１６】
［画像形成装置］
図１は、本発明の実施の形態に係る画像形成システムの全体図である。該画像形成システムは画像形成装置Ａ、用紙加湿装置Ｂ及び用紙後処理装置ＦＳから構成される。
【００１７】
画像形成装置Ａは、自動原稿搬送装置１及び画像読取部２を上部に有し、下部がプリンタ部で構成される。
【００１８】
プリンタ部において、３は用紙Ｓを収納する用紙収納部である。感光体４に対して、帯電、露光及び現像を行う電子写真プロセスにより、感光体４上にトナー像を形成する画像形成手段（プリンタエンジン）５において、用紙Ｓに画像が形成され、形成された画像は定着装置６において定着される。定着装置６は熱源６ａが内蔵された加熱ローラ６ｂと加圧ローラ６ｃで用紙Ｓを搬送するニップ部を形成し、用紙Ｓを搬送しつつ加熱、加圧してトナーを溶融し、画像を用紙Ｓに定着する。
【００１９】
用紙Ｓは用紙収納部３から第１給紙手段３ａにより給送され、第２給紙手段３ｂにおいて一時停止した後に給紙されて画像形成が行われ、画像形成された用紙Ｓは、排紙ローラ８により排紙口から排出され左方の用紙加湿装置Ｂに送られる。
【００２０】
用紙Ｓの搬送経路としては、用紙収納部３から画像形成手段５までの給紙路７、画像形成手段５から定着装置６、排紙ローラ８を経て排紙口に至る搬送路９ａ及び反転搬送を行う裏面用搬送路９ｂが設けられる。
【００２１】
画像形成モードとしては、片面フェースダウン排紙モード、片面フェースアップ排紙モード及び両面モードがある。片面フェースダウン排紙モードでは、片面に画像が形成され、定着装置６を通過した用紙Ｓは、反転処理により表裏反転した後に、排紙ローラ８で搬送されて排出される。
【００２２】
片面フェースアップ排紙モードでは、片面に画像形成され、搬送路９ａを搬送された用紙Ｓは、そのまま排紙ローラ８により搬送され排出される。
【００２３】
両面モードにおいては、片面に画像形成され、定着装置６を通過した用紙Ｓは、下方に走行して裏面用搬送路９ｂに進行し、表裏反転した後に、給紙路７に再給紙される。
【００２４】
再給紙された用紙Ｓの裏面に画像形成手段５において裏面画像が形成され、裏面画像形成された用紙Ｓは定着装置６を通過し、排紙ローラ８により搬送されて排出される。
【００２５】
複数枚の用紙に連続して画像形成する連続画像形成サイクルにおいては、複数枚の用紙Ｓが所定の間隔で用紙収納部３から給紙及び搬送されて、画像形成が連続して行われる。
【００２６】
１０は操作部であり、画像形成装置Ａにおける各種のモード及び用紙後処理装置ＦＳを用いた出力モードの設定を操作部１０における操作で設定することができる。
【００２７】
画像形成装置Ａに配置された制御手段Ｃ１は、通信手段Ｃ４を介して用紙加湿装置Ｂの制御手段Ｃ２、及び用紙後処理装置ＦＳの制御手段Ｃ３に接続されている。
【００２８】
画像形成装置Ａから排出された用紙Ｓは、用紙加湿装置Ｂを経て用紙後処理装置ＦＳに搬送される。
【００２９】
用紙加湿装置Ｂは、画像形成装置Ａから排出された用紙Ｓを受け入れ搬送する第１搬入搬送部１００、用紙Ｓに水を付与する用紙加湿部１２０、画像形成装置Ａから排出された用紙Ｓを受け入れ搬送する第２搬入搬送部１５０、第１デカール部１６０、第２デカール部１７０及び用紙Ｓを排出し用紙後処理装置ＦＳへと受け渡す排紙搬送路２００を有する。
【００３０】
［用紙後処理装置ＦＳ］
用紙後処理装置ＦＳは、画像形成装置Ａから排出される用紙Ｓに対して各種の後処理装置を行うもので、穿孔折り機、平綴じ機、中綴じ機、糊付け製本機、断裁機等を総称する。以下、用紙後処理装置ＦＳの一実施の形態として糊付け製本機を代表として説明する。
【００３１】
糊付け製本機は、用紙導入手段２１、排紙手段２２、用紙束収納手段２３、用紙束搬送手段２４、糊塗布手段２５、表紙供給手段２６、表紙断裁手段２７、表紙外装手段（くるみ製本手段）２８、整合手段２９を備えている。
【００３２】
用紙導入手段２１に導入された用紙Ｓは、用紙束収納手段２３上に載置された後、斜め下方に逐次搬送され、用紙束搬送手段２４の把持手段２４１によって把持される。把持手段２４１は、用紙Ｓを束ねた用紙束Ｓａを把持したまま用紙束Ｓａの背部（以下、糊塗布面Ｎという）を下側になるように旋回して所定位置に停止する。糊塗布手段２５は、用紙束Ｓａの糊塗布面Ｎに糊を塗布する。
【００３３】
表紙供給手段２６に収納された表紙Ｋは、表紙断裁手段２７を経由して表紙外装手段２８に搬送された後、表紙Ｋの後端部が表紙断裁手段２７によって所定長に断裁される。表紙Ｋの断裁長は、用紙Ｓの進行方向の２枚分の長さに用紙束Ｓａの背部の厚さを加えた長さである。
【００３４】
表紙外装手段２８は、表紙供給手段２６から供給された表紙Ｋを受容して搬送し、所定位置に停止させた後、整合手段２９により幅方向の位置決めを行う。表紙外装手段２８は、用紙束Ｓａの糊塗布面Ｎに圧接して接着される。
【００３５】
用紙束Ｓａの背部に対向する加圧部材の下降と、表紙外装手段２８の上部に配置された左右対称な一対の折曲部材の移動とにより、表紙Ｋは用紙束Ｓａの糊塗布面Ｎの側縁に沿って折り曲げられ、用紙束Ｓａの表裏面に表紙Ｋを装着した用紙束Ｓａが形成される。
【００３６】
表紙Ｋの折り曲げ工程の終了後、表紙外装手段２８が下降して待避した後、整合手段２９の退避と共に表紙Ｋの幅方向外側に退避していた排出ベルト３０が用紙束Ｓａの下方の幅方向内側まで移動して停止する。その後、把持手段２４１による挟持が解除されると、用紙束Ｓａは下降し、用紙束Ｓａの下方の背部が排出ベルト３０の上面に当接する位置に停止する。回動する排出ベルト３０は、用紙束Ｓａに表紙Ｋを貼着してくるみ製本処理された冊子を装置外に排出する。
【００３７】
［用紙加湿装置］
図２は、本発明の実施の形態に係る用紙加湿装置Ｂの全体図である。用紙加湿装置Ｂでは、画像形成装置Ａでカールしたり波打ち状に変形したりした用紙の矯正を行う。
【００３８】
第１搬入搬送部１００は搬送路Ｒ１を、用紙加湿部１２０は搬送路Ｒ２を、バイパス搬送路としての第２搬入搬送部１５０は搬送路Ｒ３を、第１デカール部１６０、第２デカール部１７０は搬送路Ｒ４を、排紙搬送路２００は搬送路Ｒ５を有する。
【００３９】
搬送路Ｒ１〜Ｒ５は図示のように、複数のガイド部材により形成される。搬送路Ｒ１の一部は第１、第２搬入搬送部１００、１５０に共有される。
【００４０】
用紙加湿装置Ｂに搬入された用紙Ｓは切替ゲートＧの切替により、第１搬入搬送部１００から第２搬入搬送路１５０を経て、第１デカール部１６０に搬送され、（１）第２デカール部１７０及び排紙搬送部２００を経て排出されるか又は（２）第１搬入搬送部１００から用紙加湿部１２０に搬送され、用紙加湿部１２０から、第２搬入搬送部１５０、第１デカール部１６０、第２デカール部１７０及び排紙搬送部２００を経て排出される。
【００４１】
第１搬入搬送部１００においては、搬送ローラ１０１〜１０５により用紙Ｓが搬送されて用紙加湿部１２０に搬送される。
【００４２】
用紙加湿部１２０においては、一対の加湿ローラ１２３及び搬送ローラ１４２により用紙Ｓが搬送される。
【００４３】
第２搬入搬送部１５０においては、搬送ローラ１０１，１０２、１５１及び１５２により用紙Ｓが搬送される。
【００４４】
排紙搬送部２００においては、搬送ローラ２０１〜２０４により用紙Ｓが搬送され、排出される。
【００４５】
次に、用紙加湿装置Ｂの各処理部について説明する。
【００４６】
［用紙加湿部１２０］
図１乃至図３により用紙加湿部１２０の構造及び作用を説明する。図３は、用紙加湿部１２０の構成を示す図である。
【００４７】
用紙加湿部１２０は、一対の加湿ローラ１２３（１２３ａ、１２３ｂ）、二つの給水ローラ１２４（１２４ａ、１２４ｂ）及び制御ローラ１２５（１２５ａ、１２５ｂ）貯水部１２１を有する。また二つの加湿ローラ１２３及び二つの給水ローラ１２４は、ニップ部Ｎｉを中心として水平方向（図示Ｘ方向）に左右対称に配置させている。
【００４８】
用紙を加湿する水を収容する貯水部１２１は、搬送される用紙Ｓの最大幅（搬送方向に直角な方向の用紙長さ）よりも若干長い、水槽１２１Ａを形成する。
【００４９】
貯水部１２１には、左右に並んだ給水皿１２１Ｂ１、１２１Ｂ２が形成される。給水皿１２１Ｂ１、１２１Ｂ２は貯水部１２１により形成される水槽１２１Ａより高い位置で水を収容する部屋を形成する。給水皿１２１Ｂ１、１２１Ｂ２に収容されている水は両脇の壁面高さ以上になる分は、オーバーフローして水槽１２１Ａに落下する。貯水部１２１の中央部には用紙Ｓが通過する間隙１２１Ｅが形成される。
【００５０】
２個の給水皿１２１Ｂ１、１２１Ｂ２はそれぞれ、給水ローラ１２４ａ、１２４ｂの円筒形外周面に対応した円弧状の内周面を有する。
【００５１】
給水皿１２１Ｂ１、１２１Ｂ２には、下方の貯水槽１３０から給水管１３１を通過した水が供給され、両脇の壁面以上となる分はオーバーフローするため常に一定の水位ＷＳが維持される。
【００５２】
給水皿１２１Ｂ１、１２１Ｂ２の上方には、給紙皿１２１Ｂの内周面と所定の間隔を隔てて配置された給水ローラ１２４ａ、１２４ｂが配置され、給水ローラ１２４ａ、１２４ｂの下部は給水皿１２１Ｂ１、１２１Ｂ２に収容されている水に浸漬する。
【００５３】
給水ローラ１２４ａ、１２４ｂは金属の軸芯にゴム層を形成したゴムローラからなり、給水ローラ１２４ａは矢印Ｄ１のように回転し、給水ローラ１２４ｂは矢印Ｄ２のように回転する。
【００５４】
給水ローラ１２４ａに接触するように加湿ローラ１２３ａが、給水ローラ１２４ｂに接触する加湿ローラ１２３ｂがそれぞれ配置され、加湿ローラ１２３ａと加湿ローラ１２３ｂとは圧接（圧着ともいう）してニップ部Ｎｉを形成する。制御ローラ１２５ａ、１２５ｂの軸にはスプリング等の弾性体により中心のニップ部Ｎｉに向かう圧力が付与されている（後述の図４の矢印方向）。また加湿ローラ１２３、給水ローラ１２４、制御ローラ１２５の各ローラは、ローラ軸の両端が不図示のパネルにより軸受けを介して支持されており、パネルに設けられた長円を軸受けが移動することによりｘ方向に移動可能としている。
【００５５】
加湿ローラ１２３はそれぞれ金属の軸芯にゴム層を形成したゴムローラからなり、加湿ローラ１２３ａは矢印Ｄ３のように回転し、加湿ローラ１２３ｂは矢印Ｄ４のように回転して、加湿ローラ１２３の周面と加湿ローラ１２３の周面とは接触するニップ部Ｎｉにおいて、図示のように上方ｙ方向に用紙Ｓを挟持搬送する。
【００５６】
一対の加湿ローラ１２３のうちいずれか一方が駆動原により回転駆動されて駆動ローラとして機能する。図３に示す例においては、駆動モータＭ１が加湿ローラ１２３ａを回転駆動させる。そしてその他のローラ、加湿ローラ１２３ｂ、給水ローラ１２４及び制御ローラ１２５は当該駆動ローラの回転に従動して回転する。
【００５７】
給水ローラ１２４に接触する制御ローラ１２５は給水ローラ１２４に接触する規制部材として機能し、給水ローラ１２４表面の水分量を制御する。制御ローラ１２５は金属の円筒体からなり、給水ローラ１２４に従動して回転する。
【００５８】
水Ｗは貯水槽１３０からポンプ（図示せず）により給水管１３１を経て貯水部１２１の給水皿１２１Ｂ１、１２１Ｂ２に供給され、排水管１３２を経て貯水部１２１から貯水槽１３０に還流する。
【００５９】
１３３はフィルタであり、用紙に水を付与する過程で水Ｗに混入した紙粉等の異物は当該フィルタ１３３により濾過され、水Ｗは貯水槽１３０と貯水部１２１との間で循環する。
【００６０】
次に、用紙Ｓへの水の付与について説明する。用紙Ｓは搬送ローラ１０５により用紙加湿部１２０に搬入され、間隙１２１Ｅを通過し一対の加湿ローラ１２３により搬送される。加湿ローラ１２３の外周面には、貯水部１２１から給水ローラ１２４を経て水Ｗが供給され、用紙Ｓは搬送の過程で連続的に水が付与される。
【００６１】
給水ローラ１２４の外周面には均一な水の皮膜が形成されるが、制御ローラにより更に均一化される。
【００６２】
用紙の水を付与する過程で、用紙Ｓから紙粉等の異物が加湿ローラ１２３に付着し、更に水Ｗに混入するが、水Ｗに混入した異物はフィルタ１３３により濾過される。
【００６３】
［圧接解除手段による圧接及び解除］
図４は、圧接解除手段による圧接の解除について説明するための模式図である。同図は正面手前側端部から見た用紙加湿部１２０周辺の断面図である。なお同図においては左右は対称であるので左側のみ符号を付している。また図示は省略しているが奥側端部も同様の構成としている。図４（ａ）は圧接状態を示す図であり、図４（ｂ）は圧接解除手段により解除させた解除状態を示す図である。なお本実施形態においては、駆動モータＭ２１、Ｍ２２、カム板ｐ１、従動板ｐ２が一体として「圧接解除手段」として機能する。
【００６４】
図４（ａ）においてｐ１はカム板であり駆動モータＭ２１、Ｍ２２によりそれぞれ回転させられる。また駆動モータＭ２１、Ｍ２２は、ステッピングモータであり両駆動モータは同期して逆方向に同じ回転角度（パルス数）だけ回転するように制御する。
【００６５】
図４（ａ）に示す圧接状態ではカム板ｐ１は初期状態であり、初期状態においてはカム板ｐ１同士、及びカム板ｐ１と従動板ｐ２は互いに非接触状態である。圧接状態においては、接触部ｅ１及びｅ３では隣接する加湿ローラ１２３と給水ローラ１２４が、接触部ｅ２においては加湿ローラ１２３同士が外側の制御ローラ１２５の圧力により圧接状態で接触している。
【００６６】
図４（ｂ）は、左側のカム板ｐ１は反時計方向に、右側のカム板ｐ１は反対の時計方向にそれぞれ駆動モータＭ２１、Ｍ２２を動作させることにより回転させた解除状態を示している。解除状態においては、カム板ｐ１同士、及びカム板ｐ１と従動板ｐ２は互いに接触している。このようなことから接触部ｅ１及びｅ３では隣接する加湿ローラ１２３と給水ローラ１２４が、接触部ｅ２においては加湿ローラ１２３同士が外側の制御ローラ１２５の圧力に抗して非接触状態（離間状態）、つまり解除された状態となっている。
【００６７】
本実施形態においては、用紙加湿装置Ｂにおいて圧接解除手段により（１）二つの加湿ローラ１２３同士、（２）加湿ローラと給水ローラ１２４との圧接解除動作を行う（圧着解除動作ともいう）ことにより、加湿ローラ１２３及び給水ローラ１２４の表面に付着する異物の除去が良好に行えるために、加湿ローラ１２３及び給水ローラ１２４に異物が蓄積去れにくくなるので、長期間に亘って用紙Ｓに対して均一な水の付与を行うことができる用紙加湿装置を提供することが可能となる。
【００６８】
また図３等に示したように、二つの加湿ローラ１２３及び二つの給水ローラ１２４は、ニップ部Ｎｉを中心として水平方向に左右対称に配置させていることから、容易に左右の加湿ローラ１２３による用紙Ｓへの加湿性能を同等にすることができ、ひいては用紙Ｓの両面に均一に加湿できるので、用紙Ｓのカール等の不具合を適正に矯正することが可能となる。
【００６９】
［圧接解除手段の動作タイミング］
図５は、回転開始時における用紙加湿装置Ｂでの駆動モータＭ１と駆動モータＭ２１（Ｍ２２）の動作タイミングを説明するタイムチャートである。なお同図においては駆動モータＭ２１と駆動モータＭ２２は同期させている。前述のとおり駆動モータＭ１は、用紙加湿部１２０の加湿ローラ１２３駆動を行い、駆動モータＭ２１及びＭ２２は、各ローラ間の圧接の解除を行うものである。図５において制御手段Ｃ２は、駆動モータＭ１をｔ１のタイミングで回転開始させ、その後のｔ２のタイミングで駆動モータＭ２１を所定パルス分だけ駆動させることによりカム板ｐ１の角度を変更して用紙加湿部１２０の各ローラ間を図４に示す解除状態から圧接状態に変更させている。つまり、加湿ローラ１２３の回転中に、各ローラ間の圧接を行わせている。
【００７０】
このようにすることにより、加湿ローラ１２３同士、及び加湿ローラと給水ローラ１２４との間の圧着時のグリップ力が作用し、加湿ローラ１２３及び給水ローラ１２４の表面に付着する異物の除去が更に良好に行えるようになり、ひいては、長期間に亘って用紙Ｓに対して均一な水の付与を行うことができる用紙加湿装置を提供することが可能となる。
【００７１】
図６は、複数枚の用紙に連続して画像形成する連続画像形成サイクルにおける、用紙加湿装置Ｂで圧接解除手段の動作タイミングを説明するタイムチャートである。同図の用紙搬送欄には、用紙Ｓが用紙加湿部１２０のニップ部Ｎｉを通過するタイミングを表している。また同図においては６枚連続とそれに続く４枚連続の合計１０枚の用紙Ｓに対して画像形成する連続画像形成サイクルにおける動作を示したものである。なお用紙Ｓの搬送タイミングは用紙加湿装置Ｂに設けられた不図示のアクチュエータ方式の用紙通過検知センサーにより検知している。
【００７２】
同図に示すように、制御手段Ｃ２は連続画像形成サイクルにおいては、先頭用紙（Ｓ１及びＳ７）が一対の加湿ローラ１２３が形成するニップ部Ｎｉに到達する直前まで、圧接を解除させるように圧接解除手段を制御している。
【００７３】
更に、制御手段Ｃ２は連続画像形成サイクルにおいて、用紙と用紙の間では一対加湿ローラ１２３の圧接を解除するように圧接解除手段を制御している。なお同図に示す例においては全ての用紙間で圧接解除動作を行いように制御させている例を示しているが、これに限られず、連続画像形成サイクルにおいてＡ４判片面連続等の用紙間隔が短い場合においては圧接解除動作を行わずに、両面あるいは異なる用紙サイズを連続するような用紙間隔が長い場合においてのみ圧接解除動作を行うように制御してもよい。
【００７４】
このように制御することにより、加湿ローラ１２３及び給水ローラ１２４の表面に付着する異物の除去を効率よく行えるようになり、ひいては、長期間に亘って用紙Ｓに対して均一な水の付与を行うことができる用紙加湿装置を提供することが可能となる。
【図面の簡単な説明】
【００７５】
【図１】本発明の実施の形態に係る画像形成システムの全体図である。
【図２】本発明の実施の形態に係る用紙加湿装置Ｂの全体図である。
【図３】用紙加湿部１２０の構成を示す図である。
【図４】圧接解除手段による圧接の解除について説明するための模式図であり、図４（ａ）は圧接状態を示す図、図４（ｂ）は解除状態を示す図である。
【図５】回転開始時における駆動モータＭ１と駆動モータＭ２１の動作タイミングを説明するタイムチャートである。
【図６】複数枚の用紙に連続して画像形成する連続画像形成サイクルにおける、用紙加湿装置Ｂで圧接解除手段の動作タイミングを説明するタイムチャートである。
【符号の説明】
【００７６】
Ａ  画像形成装置
Ｂ  用紙加湿装置
ＦＳ  用紙後処理装置
Ｃ１、Ｃ２、Ｃ３  制御手段
Ｍ１、Ｍ２１、Ｍ２１  駆動モータ
１２０  用紙加湿部
１２１  貯水部
１２３  加湿ローラ
１２４  給水ローラ
１２５  制御ローラ
１３０  貯水槽
１３１  給水管
１３２  排水管
【図１】
2009220895.tif 000003
【図２】
2009220895.tif 000004
【図３】
2009220895.tif 000005
【図４】
2009220895.tif 000006
【図５】
2009220895.tif 000007
【図６】
2009220895.tif 000008